(57)【要約】      （修正有）【課題】使用時には吸水性ポリマーが外に飛び出しにくく、かつ洗濯時には容易に吸水性ポリマーを取外すことができ、さらに、着装具の両裾が交差した状態を保つことができる首周り用着装具を提供する。【解決手段】首周り用着装具１０は、長手方向に伸びる中央線を折り目１６として二つ折りにされる布地からなる帯部１２と、前記帯部１２の長手方向中央付近であって二つ折りの内側の少なくともいずれかの側に設けられたポケットと、前記ポケットに挿入／取出可能に収納される吸水性ポリマー体と、前記帯部のいずれかの裾近傍であって二つ折りの表側のいずれかの側に、所定の角度で傾斜して設けられたループ２０と、を含み、首に巻いて使用される際に、前記帯部の長手方向他方の裾が前記ループに挿通されて、首周りに閉環を構成する。【選択図】図２
0003148421.tif 000002
【実用新案登録請求の範囲】
【請求項１】
首周り用着装具であって、
長手方向に伸びる中央線を折り目として二つ折りにされる布地からなる帯部と、
前記帯部の長手方向中央付近であって二つ折りの内側の少なくともいずれかの側に設けられたポケットと、
前記ポケットに挿入／取出可能に収納される吸水性ポリマー体と、
前記帯部のいずれかの裾近傍であって二つ折りの表側のいずれかの側に、所定の角度で傾斜して設けられたループと、を含み、
前記帯部の長手方向他方の裾が前記ループに挿通されて、使用時に首周りに閉環を構成することを特徴とする首周り用着装具。
【請求項２】
前記ポケットは、前記吸水性ポリマー体が挿入／取出される開口を前記折り目側に備えることを特徴とする請求項１に記載の首周り用着装具。
【請求項３】
前記吸水性ポリマー体は、吸水性ポリマーが不織布製の袋に充填されてなることを特徴とする請求項１又は２に記載の首周り用着装具。
【請求項４】
前記ポケットが複数設けられたことを特徴とする請求項１〜３のいずれか１項に記載の首周り用着装具。
【請求項５】
前記ループは短冊状の布地からなり、少なくとも一方の端部がホックにより前記帯部に係着されることを特徴とする請求項１〜４のいずれか１項に記載の首周り用着装具。
【請求項６】
前記布地の素材がポリエステルであることを特徴とする請求項１〜５のいずれか１項に記載の首周り用着装具。
【請求項７】
前記布地の素材がアクリル又はアクリル系繊維であることを特徴とする請求項１〜５のいずれか１項に記載の首周り用着装具。
【請求項８】
前記布地の素材が麻であることを特徴とする請求項１〜５のいずれか１項に記載の首周り用着装具。
【請求項９】
前記布地の素材がシルクであることを特徴とする請求項１〜５のいずれか１項に記載の首周り用着装具。
【請求項１０】
首周り用着装具であって、
長手方向に伸びる中央線を折り目として二つ折りにされる布地からなる帯部と、
前記帯部の長手方向中央付近であって二つ折りの内側の少なくともいずれかの側に設けられたポケットと、
前記ポケットに挿入／取出可能に収納される懐炉体と、
前記帯部のいずれかの裾近傍であって二つ折りの表側のいずれかの側に、所定の角度で傾斜して設けられたループと、を含み、
前記帯部の長手方向他方の裾が前記ループに挿通されて、使用時に首周りに閉環を構成することを特徴とする首周り用着装具。
【請求項１１】
前記ポケットは、前記懐炉体が挿入／取出される開口を前記折り目側に備えることを特徴とする請求項１０に記載の首周り用着装具。
【考案の詳細な説明】
【技術分野】
【０００１】
本考案は、首に掛けられて使用される首周り用着装具に関する。さらに詳しくは、吸水性ポリマーが充填された袋が折り目の内側に収納される首周り用着装具に関する。
【背景技術】
【０００２】
従来、夏場のレジャーやスポーツの際の暑苦しさを解消するために、水に濡らしたタオルを首に掛ける等の対抗策が施されている。しかしながら、水を含んだタオルを首に掛けると、水分の気化熱で首周りを冷却することはできるものの、タオルに吸収された水分により着衣が濡れることとなる。また、若い女性などお洒落に気を使う人々の中には、見た目が格好悪いという理由により街中など人前でタオルを首に掛けることに抵抗がある者もいる。
【０００３】
そこで、以前から、夏場の暑苦しさを緩和しつつ着衣の水濡れを防止し、かつ、見た目の格好悪さを解消するために、スカーフ、バンダナ又はネクタイ等、首周り用の着装具に保冷剤や吸水性ポリマーを取り付けたものが広く用いられている。
【０００４】
例えば、特許文献１では、保冷剤を収納するためのポケット部を有するネクタイが開示されている。また、特許文献２では、吸水性ポリマーが内部に充填されるバンダナが開示されている。
【特許文献１】特開２００６−９２１１号公報
【特許文献２】実用新案登録番号第３０２８７４６号公報
【考案の開示】
【考案が解決しようとする課題】
【０００５】
しかしながら、特許文献１のネクタイにおいては、単に保冷剤がポケット部に収納されているだけなので体の動きにより保冷剤が外に飛び出すことがある。また、特許文献２のバンダナにおいては、袋状部に充填された吸水性ポリマーが漏出しないように該袋状部の開口部が縫い込まれるため、洗濯の際に吸水性ポリマーを外に取り出すことができない。従って、吸水性ポリマーに吸収された水分は蒸発しにくいことから、この着装具を完全に乾燥させるための時間が長くなり、仮に半乾きの状態で保管した場合には嫌な匂いが発生したり、カビが繁殖することがある。
【課題を解決するための手段】
【０００６】
本考案では、上述する課題に鑑み、使用時には吸水性ポリマーが外に飛び出しにくく、かつ洗濯時には容易に吸水性ポリマーを取外すことのできる首周り用着装具を提供する。
【０００７】
より具体的には、以下のようなものを提供することができる。
（１）首周り用着装具であって、長手方向に伸びる中央線を折り目として二つ折りにされる布地からなる帯部と、前記帯部の長手方向中央付近であって二つ折りの内側の少なくともいずれかの側に設けられたポケットと、前記ポケットに挿入／取出可能に収納される吸水性ポリマー体と、前記帯部のいずれかの裾近傍であって二つ折りの表側のいずれかの側に、所定の角度で傾斜して設けられたループと、を含み、前記帯部の長手方向他方の裾が前記ループに挿通されて、使用時に首周りに閉環を構成することを特徴とする首周り用着装具を提供することができる。
【０００８】
本考案の首周り用着装具とは、スカーフやバンダナのように街中等で首に巻いてお洒落を楽しむ着装具を含んでよい。
【０００９】
また、長手方向に伸びる中央線を折り目として二つ折りにされるとは、折り目が長手方向と平行であることを含んでよい。また、布地からなる帯部とは、帯のような細長い形状の布地を含んでよい。該布地の素材は、水を多く含む素材だと重くなって首や肩が凝ってしまい、着衣が濡れるおそれがあるため、首に巻いた際に水をあまり多く含みすぎず、乾き易いものが好ましい。また、製品化した際に幅広いユーザーに受け入れられるように、冷却機能だけでなくデザイン性も重視し、清涼感やお洒落感を感じられるような生地や素材が好ましい。
【００１０】
また、前記帯部の長手方向中央付近とは、本考案の首周り用着装具を左右の長さを均等にして首に巻いた際に、襟首に当たる付近を含んでよい。また、二つ折りの内側とは、帯部の一方の面であって帯部が二つ折りにされると見えなくなる側の面を意味してよい。いずれかの側とは、展開状態の帯部における、上記の中央線（折り目）で二等分される一方の領域を意味してよい。
【００１１】
吸水性ポリマー体は、例えば、高分子分散剤を溶解した脂肪族炭化水素溶媒中でアクリル酸とそのアルカリ金属塩水溶液を分散し、逆相懸濁重合させ、更に共沸脱水時、２個以上の官能基を有する架橋剤で架橋せしめてなるものが用いられてよい。本考案の首周り用着装具の使用時には吸水性ポリマーに予め水を含ませる。吸水性ポリマーに保持されている水が気化し、水蒸気として外部に出ていくことによって、気化熱による冷却効果が得られる。この吸水性ポリマーは帯部の長手方向中央付近の二つ折りの内側に位置するポケットに収納されるため、本考案の首周り用着装具の使用時には襟首を中心に首周りを冷却することができ、使用者は清涼感を得ることができる。
【００１２】
また、吸水性ポリマーに保持された水が長時間掛けて徐々に気化していくため、その分冷却効果が持続する。
【００１３】
また、吸水性ポリマー体は、ポケットに挿入／取出可能に収納されるため、着装具本体と分離して管理ができる。そのため、着装具本体のみで洗濯及び乾燥をすることができ、吸水性ポリマーが着装具に内蔵される従来の首周り用着装具に見られるような、半乾きの状態で保管した場合の嫌な匂いやカビの繁殖を防止することができる。
【００１４】
ループが設けられる、帯部の二つ折りの表側とは、帯部の一方の面であって帯部が二つ折りにされた際に外から見える側の面を意味してよい。いずれかの側とは、展開状態の帯部において、上記の中央線（折り目）で二分される二つの領域のいずれかを意味してよい。さらに、帯部の裾とは、帯部の長手方向端部を含んでよく、裾近傍とは、帯部の長手方向端部と中央付近との間の領域を含んでよい。例えば、帯部を長手方向に四分割したとすると、裾近傍とは両端の１／４長さを意味することもできる。
【００１５】
ループは、短冊状の布地の長手方向両端部が帯部に固定されてリング（閉環）を形成し、本考案の首周り用着装具の使用時には当該リングに帯部の他方の端部が挿通される。これにより、帯部の両裾を束ねることができるため、体の動きや風等により本考案の首周り用着装具が首から外れないようにすることができる。一般的なスカーフ等の使用時には首から外れないように首元や胸の前側でスカーフ等の両端の裾同士を結び付けるため結び目が出来上がるが、本考案の首周り用着装具ではループで両裾を束ねるため、結び目が出来上がらない。従って、使用時に両裾の交差部分の表面の形が崩れず、該交差部分に図柄を表す等、より自由なデザインが可能となる。
【００１６】
また、ループは所定の角度で傾斜して設けられるため、使用時において、ループが設けられる側の裾の伸長方向に対して交差して接近してくる反対側の裾がスムーズに挿通されることができ、交差した両裾が左右に広がる状態で保持されることができる。ここで、傾斜とは、ループを構成する短冊状の布地の長手方向に沿って延びる直線が前記中央線に対して直交しないことを意味してよい。従って、所定の角度とは、この直線と中央線がなす角度であって、その裾の端部を上にした場合、下側にできる角度（例えば、図４のθ）を意味してよい。例えば、帯部を展開した状態で、折り目を対称軸として鏡面対称にかかるループを構成する短冊状の布地を取付ける位置が２つの領域にそれぞれあるが、その両方の位置に布地が取付けられると、ハの字又は逆ハの字を呈することができる（例えば、図４では、ハの字）。従って、所定の角度は、ハの字において９０度より小さくなり、逆ハの字の場合は９０度を超えることになる。尚、ここでは簡単のために両方の位置に取付ける例を示したが、何れか一方にのみループを取付けてよいことはいうまでもない。この場合は、仮想のループがあるとし、ループが該仮想のループとハの字又は逆ハの字を形成するように設けられる。また、所定の角度とは、ループの向きを表す線（上述の直線に相当）と帯部の中央線（折り目）とが交差する角度を意味してよい。つまり、展開状態において、上述のハの字又は逆ハの字の拡開角度を二等分した角度が対応する角度になる。
【００１７】
（２）前記ポケットは、前記吸水性ポリマー体が挿入／取出される開口を前記折り目側に備えることを特徴とする上記（１）に記載の首周り用着装具を提供することができる。
【００１８】
この構成によれば、ポケットの開口が帯部の内側で折り目側を向くように設けられるため、二つ折りにされる帯部自体が蓋の役割を果たし、ポケットに収納される吸水性ポリマーが飛び出しにくい。
【００１９】
（３）前記吸水性ポリマー体は、吸水性ポリマーが不織布製の袋に充填されてなることを特徴とする上記（１）又は（２）に記載の首周り用着装具を提供することができる。
【００２０】
この構成によれば、吸水性ポリマーが充填された袋ごとポケットに収納することができる。また、袋ごとポケットから取出することができる。また、吸水性ポリマーが充填される袋が水分を透過し易い不織布からなるため、吸水性ポリマーに保持された水分が気化する際に効率よく冷却効果を及ぼすことができる。不織布は、例えば、レーヨン、ナイロン、ポリエステル、アクリル、ポリプロピレン、ビニロン、ポリエチレン、ウレタン、木綿、セルロース等が好ましい。
【００２１】
（４）前記ポケットが複数設けられたことを特徴とする上記（１）〜（３）のいずれか１項に記載の首周り用着装具を提供することができる。
【００２２】
この構成によれば、複数の吸水性ポリマー体を収納することができるため、吸水性ポリマー体が体の動き等により各ポケット内で偏って位置する場合でも、複数箇所で冷却機能を発揮できる。そのため、安定した冷却範囲を確保することができる。
【００２３】
（５）前記ループは短冊状の布地からなり、少なくとも一方の端部がホックにより前記帯部に係着されることを特徴とする上記（１）〜（４）のいずれか１項に記載の首周り用着装具を提供することができる。
【００２４】
ここで、ホックとは、凸部と凹部とからなる着脱可能な留め具を含んでよく、該凸部及び凹部が離反する方向に一定以上の力が加えられると係着が解ける程度の係着強度を有するように構成されてよい。このため、本考案に係る着装具の使用中に、誤って帯部のいずれか一方の裾が一方向へ引っ張られた場合に、ループに挿通される裾が、ループが形成するリングの内周面に当たることで、ホックによる係着が解け、当該リングから裾が解放され、帯部の両裾の交差状態が解消されるため、首周りへの必要以上の締め付けを未然に防止することができる。尚、ループは、一方の端部がホックにより係着され他方の端部は帯部に縫着されてもよく、両端部ともホックにより係着されるようにしてもよい。
【００２５】
（６）前記布地の素材がポリエステルであることを特徴とする上記（１）〜（５）のいずれか１項に記載の首周り用着装具を提供することができる。
【００２６】
ここで、ポリエステルとは、テレフタル酸と２価アルコールとのエステル単位を質量比で８５％以上含む長鎖状合成高分子からなる繊維を意味してよく、ＰＥＴ（ポリエチレンテレフタレート）、ＰＴＴ（ポリトリメチレンテレフタレート）又はＰＢＴ（ポリブチレンテレフタレート）を含んでよい。
【００２７】
（７）前記布地の素材がアクリル又はアクリル系繊維であることを特徴とする上記（１）〜（５）のいずれか１項に記載の首周り用着装具を提供することができる。
【００２８】
ここで、アクリルとは、アクリロニトリル基の繰返し単位が質量比で８５％以上含む直鎖状合成高分子からなる繊維をいい、アクリル系繊維とは、アクリロニトリル基の繰返し単位が質量比で３５％以上、８５％未満含む直鎖状合成高分子からなる繊維を意味してよい。
【００２９】
（８）前記布地の素材が麻であることを特徴とする上記（１）〜（５）のいずれか１項に記載の首周り用着装具を提供することができる。
【００３０】
（９）前記布地の素材がシルクであることを特徴とする上記（１）〜（５）のいずれか１項に記載の首周り用着装具を提供することができる。
【００３１】
（１０）首周り用着装具であって、長手方向に伸びる中央線を折り目として二つ折りにされる布地からなる帯部と、前記帯部の長手方向中央付近であって二つ折りの内側の少なくともいずれかの側に設けられたポケットと、前記ポケットに挿入／取出可能に収納される懐炉体と、前記帯部のいずれかの裾近傍であって二つ折りの表側のいずれかの側に、所定の角度で傾斜して設けられたループと、を含み、前記帯部の長手方向他方の裾が前記ループに挿通されて、使用時に首周りに閉環を構成することを特徴とする首周り用着装具を提供することができる。
【００３２】
この構成によれば、吸水性ポリマー体の代わりに懐炉体をポケットに収納することができ、冬場の防寒具として使用することができる。ここで、首周り用着装具とは、マフラーやストールのように街中等で首に巻いてお洒落を楽しむ着装具を含んでよい。また、懐炉体とは、燃焼式懐炉や、酸化反応加熱型の所謂使い捨て懐炉を含んでよい。
【００３３】
（１１）前記ポケットは、前記懐炉体が挿入／取出される開口を前記折り目側に備えることを特徴とする上記（１０）に記載の首周り用着装具を提供することができる。
【００３４】
この構成によれば、ポケットの開口が帯部の内側で折り目側を向くように設けられるため、二つ折りにされる帯部自体が蓋の役割を果たし、ポケットに収納される懐炉体が飛び出しにくい。
【考案の効果】
【００３５】
本考案の首周り用着装具によれば、帯部が二つ折りにされることでポケットの開口を蓋するため、ポケットに収納される吸水性ポリマーが外に飛び出しにくい。また、収納された吸水性ポリマーを容易に取出できるため、吸水性ポリマーを外した状態で着装具を洗濯でき、乾きも早い。さらに、ループが所定の角度で傾斜して取り付けられるため、着装具の両裾が交差した状態を保つことができ、使用者のお洒落心を満たすことができる。また、交差した状態において交差部前面に描かれるキャラクターやロゴ等の図柄の形を崩さずに表示することができる。
【考案を実施するための最良の形態】
【００３６】
以下、図面を参照しつつ、本考案の実施例について詳しく説明するが、以下の記載は、本考案の実施例を説明するためになされるもので、本考案がこれらの実施例に限定されるものではない。また、同一若しくは同種類の要素については、同一若しくは関連性のある符号を用い、重複する説明は省略する。
【００３７】
図１及び図２は、首周り用着装具１０が首Ｋ（図示せず）に巻かれている様子を正面及び背面から示す一般図である。図１では首周り用着装具１０の帯部１２の両裾部１２ａ及び１２ｃが交差した状態で保たれているが、図２では、帯部１２の裾部１２ｃがループ２０に挿通されているのが分かる。また、帯部１２の中央部１２ｂの折り目の内側には、吸水性ポリマー２２が収納されるが（図示せず）、詳細は後述する。
【００３８】
首周り用着装具１０を首Ｋに巻く際には、帯部１２を折り目１６で二つ折りにし、使用者の後方から見て折り目１６が上側になるように帯部１２を首Ｋに掛け、両裾部１２ａ及び１２ｃを胸の方へ回し、裾部１２ａに設けられたループ２０に裾部１２ｃを挿通する。これにより、首周りに閉環が構成される。
【００３９】
本実施例においては、使用者から見て首Ｋの左側から右下へ向かう裾部１２ａにループ２０が設けられているが、いずれかの裾部に設けられればよく、裾部１２ｃに設けられてもよい。その場合には裾部１２ａがループに挿通される。
【００４０】
また、本実施例においては、ループ２０は、使用時に前方から見えないように裾部１２ａの胸側の面に設けられるが、前方から見えるように前側の面に設けられてもよい。その際には、ループ２０は折り目１６を挟んで対称の位置に設けられる。
【００４１】
また、一般的なネクタイでは、下方向に所謂小剣が挿通されるようにループは水平方向に設けられているが、上述のようにループ２０が傾斜していることで、二つ折りにされた裾部１２ｃが斜め下方向にスムーズに通過する幅を確保することができる。従って、ループ２０若しくは裾部１２ｃを若干撓ませるだけで二つ折りにされた帯部１２をループ２０に挿通することができ、両裾部が撓まずに張った状態で交差して保持される。これにより、体の動きや風等により着装具が体から外れにくくなるばかりでなく、結び目を作らずに交差状態を保持できるため、交差部分に表される図柄が皺になりにくくなる。
【００４２】
図３は、本考案の首周り用着装具１０の平面図である。即ち、帯部１２の二つ折りの表側を示している。点線で示される折り目１６は山折りであることを意味する。本実施例においては、帯部１２は長手長さが１１００ｍｍ、幅長さが１４０ｍｍの平面視で帯状のポリエステル製の布地であるが、使用時には折り目１６で二つ折りにされるため幅長さは約７０ｍｍとなる。これは一般的な成人の使用を前提としたサイズだが、子供用若しくは体の大きな人用のサイズの首周り用着装具１０を縦横の比を同一にして製作してもよい。また、布地の素材は、アクリル、アクリル系繊維、麻又はシルク等の清涼感やお洒落感を感じられるような他の素材でもよい。尚、本実施例においては帯部１２の厚さは展開状態で２ｍｍであるが、本考案ではこれに限定されるものではない。厚すぎると首周りに違和感が生じる可能性があるため、帯部１２の厚さは３．５ｍｍ以下が好ましく、３ｍｍ以下がより好ましく、２．５ｍｍ以下がさらに好ましい。また、薄すぎると損傷し易くなるため、０．５ｍｍ以上が好ましく、１ｍｍ以上がより好ましく、１．５ｍｍ以上がさらに好ましい。
【００４３】
図３に示すように、裾部１２ａの折り目１６の下側の領域にループ２０が設けられている。ループ２０は、平面視で短冊状であり、本実施例では帯部と同じポリエステル製の布地を使用しているが、素材はアクリル、アクリル系繊維、麻又はシルク等の清涼感やお洒落感を感じられるような他の素材でもよい。また、布地の形状は長方形状であってもよい。尚、後述するが、ループ２０の折り目１６側の端部はホック２１により帯部１２に係着され、側縁側の端部は帯部１２に縫着されている。
【００４４】
裾部１２ａに設けられるループ２０の位置は、あまりに端部に近すぎると使用時に両裾部が交差しても左右に広がらず着装具として格好悪くなるため、裾部１２ａ及び１２ｃがバランスよく交差点から分岐するように適当な位置に設けられることが好ましい。本実施例においては、ループ２０の中心点が裾部１２ａの端部から１６５ｍｍとなる箇所に設けられているが、裾部１２ａの端部からの距離が長い程、使用時に両裾部の交差点から広がる部分が長くなり、該距離が短い程、広がる部分が短くなる。
【００４５】
図４は、本考案の首周り用着装具１０のループ２０付近の拡大図である。詳説のため仮想のループ２０´が折り目１６を対称軸としてループ２０と対称に表され、この両者でハの字を形成している。この場合、折り目１６を上側にして帯部１２を首に掛けて使用するときに、ループ２０が裾部１２ｃを迎えるような角度で設けられることとなり、裾部１２ｃがループ２０の開口に対してスムーズに挿通されることができる。裾部１２ｃの挿通角度は、裾部１２ｃがリング線ｘに対して略垂直に挿通されるようにするのが好ましいが、スムーズに挿通されるのであれば垂直に限られるものではない。ここで、スムーズな挿通とは、裾部１２ｃを若干撓ませてする挿通を含んでよい。尚、逆ハの字状にループが設けられる場合には、折り目１６を下側にして帯部１２を首に掛けて使用するときに上述のスムーズな挿通を得ることができる。
【００４６】
また、図４に示される仮想のループ２０´を実際のループとしてループが２個設けることとしてもよい。その場合、二つ折りにされた裾部１２ａのいずれの面にもループが設けられることとなるため、使用者は裾部１２ｃの挿通先を任意に選択することができ、お洒落の幅が広がり得る。さらに、両ループを非対称に設けてもよい。
【００４７】
図４中のθは、ループ２０が設けられる角度を示している。ここで、ループ２０が設けられる角度とは、ループが形成するリングの向きを表す線ｘ（以下「リング線ｘ」とする。）と、帯部１２の中央線（折り目１６）とが交わる角度をいう。因みに、一般的なネクタイでは、ループが形成するリングの向きは水平であり、裾部１２ａに対応する所謂大剣は下方向に伸長するため、θは９０°である。
【００４８】
本実施例においては、上述の角度θは４７°であるが、本考案ではこれに限定されるものではない。例えば、使用時に帯部１２の両裾部が左右に広がるようにする場合にはこの角度θを小さくしてよく、逆に帯部１２の両裾部が左右に広がらないようにする場合には角度θを大きくすればよい。ここで、裾部１２ｃがリング線ｘに対して垂直に挿通され、かつ、動かないことを前提として、首に巻いた際の外見上のバランスを考慮すると、角度θは３０°以上が好ましく、４０°以上がより好ましく、４５°以上が最も好ましい。また、６５°以下が好ましく、５５°以下がより好ましく、５０°以下が最も好ましい。
【００４９】
尚、上記ではハの字を形成する場合について詳述したが、逆ハの字を形成する場合についても同様に好ましい角度が存在する。その角度は、丁度ハの字を逆ハの字に鏡面対称にした場合の対応する角度と同様である。別の言い方をすれば、１８０度からθを引いた角（９０度未満）が上記範囲にあることが好ましい。
【００５０】
図５は、ループ２０の一方の端部がホック２１により帯部１２と係着される様子を示す参考図である。ホック２１はループ２０側に設けられる凸部２１ａと帯部１２側に設けられる凹部２１ｂとからなり、着装具１０の使用時には凸部２１ａが凹部２１ｂに嵌着されることで、帯部１２とループ２０とでリングを形成する。本実施例においては、ホック２１はプラスチックからなるが、例えば真鍮など他の素材でもよい。
【００５１】
図６は、本考案の上記実施例の首周り用着装具１０の底面図である。即ち、帯部１２の二つ折りの内側を示している。一点鎖線で示される折り目１６は谷折りであることを意味する。本実施例においては、帯部１２の中央部１２ｂの折り目１６の下側の領域にポケット２４ａ、２４ｂ、２４ｃ及び２４ｄが設けられている。このポケットは長方形状のポリエステル製の布地であるが、一方の長辺を折り目１６に合わせて、他の三辺の周縁が帯部１２に縫着される。該長辺と帯部１２とでポケット２４ａ、２４ｂ、２４ｃ及び２４ｄのそれぞれの開口２６ａ、２６ｂ、２６ｃ及び２６ｄを形成する。これらの各開口を通過して、吸水性ポリマー体２２が挿入／取出される。上述のように本実施例では帯部と同じ素材を使用しているが、アクリル、アクリル系繊維、麻又はシルク等の清涼感やお洒落感を感じられるような他の素材でもよい。
【００５２】
図７は、本考案の上記実施例の首周り用着装具１０のポケットの縫着部分を示す参考図である。各ポケットの縫い目のイメージが点線により表されている。図７に示すように、各ポケット２４ａ、２４ｂ、２４ｃ及び２４ｄは折り目１６に沿った辺が縫着されていないため、該縫着されていない部分が各ポケットの開口２６ａ、２６ｂ、２６ｃ及び２６ｄを形成する。
【００５３】
開口２６ａ、２６ｂ、２６ｃ及び２６ｄは折り目１６に沿って形成されているため、ポケット２４が設けられる面が谷側となるように帯部１２を二つ折りにすると、折り目１６を挟んで図７で上側の領域により各開口が塞がれる。また、本考案の首周り用着装具１０は二つ折りにした状態で首に掛けられ、各ポケットが設けられる中央部１２ｂは使用時には襟首付近を中心に首に巻かれるので、使用者の体の動き等によっても、収納された吸水性ポリマー部が外に飛び出しにくい。
【００５４】
各ポケットに挿入される吸水性ポリマー体２２は、不織布製の袋に吸水性ポリマーが充填されてなるが、本実施例においては、高分子分散剤を溶解した脂肪族炭化水素溶媒中でアクリル酸とそのアルカリ金属塩水溶液を分散し、逆相懸濁重合させ、更に共沸脱水時、２個以上の官能基を有する架橋剤で架橋せしめてなる高吸水性ポリマーがレーヨン製の袋に充填される。
【００５５】
以上のように、冷却機能を備える首周り用着装具について説明したが、ポケットに吸水性ポリマー体ではなく懐炉体が収納される防寒機能を備える首周り用着装具も考えられる。その場合、帯部の素材をウールやカシミヤにする等、上記の冷却機能を備える首周り用着装具から適宜設計を変更してよい。
【図面の簡単な説明】
【００５６】
【図１】本考案の実施例の首周り用着装具の使用時の一般図である。
【図２】本考案の実施例の首周り用着装具の使用時の一般図である。
【図３】本考案の一実施例である首周り用着装具の平面図である。
【図４】本考案の一実施例である首周り用着装具のループ付近を示す拡大図である。
【図５】本考案の一実施例である首周り用着装具のループの一方の端部がホックにより帯部と係着される様子を示す参考図である。
【図６】本考案の一実施例である首周り用着装具の底面図である。
【図７】本考案の一実施例である首周り用着装具のポケットの縫着部分を示す参考図である。
【符号の説明】
【００５７】
１０    首周り用着装具
１２    帯部
１２ａ、１２ｃ    裾部
１２ｂ    中央部
１６    折れ目
２０    ループ
２１    ホック
２２    吸水性ポリマー体
２４ａ、２４ｂ、２４ｃ、２４ｄ    ポケット
２６ａ、２６ｂ、２６ｃ、２６ｄ    開口
【図１】
0003148421.tif 000003
【図２】
0003148421.tif 000004
【図３】
0003148421.tif 000005
【図４】
0003148421.tif 000006
【図５】
0003148421.tif 000007
【図６】
0003148421.tif 000008
【図７】
0003148421.tif 000009